(57)【要約】【課題】  照明される部材の視認性を向上させ、また、光の利用効率を向上させたプロジェクタを提供する。【解決手段】  プロジェクタ１は、光を射出する光源としての光源ユニット５０と、導光性を有し、光源ユニット５０の射出した光のうち映像の投写に使用されない非利用光を入射させ導光し、導光した光を射出する導光部材１００を構成するインジケータ導光部材１１０と、導光性および光の拡散性を有し、インジケータ導光部材１１０から射出された光を入射させ照明される被照明部材２００を構成するインジケータ部材２１０とを有する。【選択図】      図３
2007025017.tif 000002
【特許請求の範囲】
【請求項１】
映像を投写するプロジェクタであって、
光を射出する光源と、
導光性を有し、前記光源の射出した光のうち前記映像の投写に使用されない非利用光を入射させ導光し、導光した光を射出する導光部材と、
前記導光性および光の拡散性を有し、前記導光部材から射出された光を入射させ照明される被照明部材とを有することを特徴とするプロジェクタ。
【請求項２】
請求項１に記載のプロジェクタであって、
前記被照明部材は、前記プロジェクタの外装を構成する筐体に開口部を設けて配設され、
前記映像の投写に関する各種調整を行うための操作キー部材と、前記映像の投写に関する各種機能の動作状態を表示するためのインジケータ部材とのうち少なくとも１つを構成することを特徴とするプロジェクタ。
【請求項３】
請求項１または請求項２に記載のプロジェクタであって、
前記導光部材は、導光した光の射出側となる所定の部位に前記被照明部材を一体に構成することを特徴とするプロジェクタ。
【請求項４】
請求項１〜請求項３のいずれか一項に記載のプロジェクタであって、
前記光源は、発光ダイオードを用いた光源であることを特徴とするプロジェクタ。
【発明の詳細な説明】
【技術分野】
【０００１】
本発明は、映像を投写するプロジェクタに関する。
【背景技術】
【０００２】
従来より、プロジェクタは、ＤＶＤプレーヤ等と接続して、映像をスクリーン等に投写して使用されている。その場合、プロジェクタは、暗い部屋内で使用されるため、操作キーなどの位置が分かり難く、操作に手間取ったり、間違った操作をする可能性があった。そのような不具合に対して、画像投写用のランプの光を導光性のライトガイドで導光し、同様に導光性の操作キーの基部付近に射出させる。これにより、光が操作キーと操作キー用に設けられた外装ケースに形成する開口部との隙間から外装ケース外に漏れ、操作キーが明るく見える。また、光が操作キーの内部を透過することにより、操作キー自体が光って見えるようにしたものが知られている（特許文献１）。
【０００３】
【特許文献１】登録実用新案第３０９１８１３号公報
【発明の開示】
【発明が解決しようとする課題】
【０００４】
しかしながら、特許文献１によると、操作キーは、ライトガイドを透過した光により、光っては見えるものの、操作キーを正面から見ることで、照明されていることを視認することができる程度となる。操作キーを横方向から見る場合には、照明されていることが視認しづらく、視認性の面での向上が課題となっている。
【０００５】
本発明は、上記課題に鑑みてなされたものであり、照明される部材の視認性を向上させ、また、光の利用効率を向上させたプロジェクタを提供することを目的とする。
【課題を解決するための手段】
【０００６】
上述した目的を達成するために、本発明のプロジェクタは、光を射出する光源と、導光性を有し、光源の射出した光のうち映像の投写に使用されない非利用光を入射させ導光し、導光した光を射出する導光部材と、導光性および光の拡散性を有し、導光部材から射出された光を入射させ照明される被照明部材とを有することを特徴とする。
【０００７】
このようなプロジェクタによれば、導光部材は、光源から射出した光のうち映像の投写に使用されない非利用光を入射させ導光し、導光した光を被照明部材に射出する。被照明部材は、導光性及び光の拡散性を有しているため、被照明部材に射出された光は、被照明部材の内部を反射（拡散）されながら透過して外部に射出する。これにより、被照明部材は、拡散して光ることができるため、視認方向に左右されない視認性を向上することができる。
【０００８】
上記プロジェクタにおいて、被照明部材は、プロジェクタの外装を構成する筐体に開口部を設けて配設され、映像の投写に関する各種調整を行うための操作キー部材と、映像の投写に関する各種機能の動作状態を表示するためのインジケータ部材とのうち少なくとも１つを構成することが好ましい。
【０００９】
このようなプロジェクタによれば、被照明部材は、操作キー部材とインジケータ部材とのうち少なくとも１つを構成するため、操作キー部材またはインジケータ部材、操作キー部材及びインジケータ部材の照明として用いると、従来に対して、視認性の向上を図ることができる。
【００１０】
上記プロジェクタにおいて、導光部材は、導光した光の射出側となる所定の部位に被照明部材を一体に構成することが好ましい。
【００１１】
このようなプロジェクタによると、導光部材は、被照明部材を一体に構成することにより、導光部材と被照明部材との隙間がなくなるため、導光部材の内部を導光して透過した光を略損失なく被照明部材に入射させることができる。従って、光の利用効率が向上し、その結果、被照明部材から射出する光の明るさを向上させることができ、視認性が更に向上する。
【００１２】
上記プロジェクタにおいて、光源は、発光ダイオードを用いた光源であることが好ましい。
【００１３】
このようなプロジェクタによると、光源を点灯する場合、放電式ランプを用いた光源を点灯した場合は実際に点灯するまでに時間がかかり更に徐々に輝度が上がるのに比べ、発光ダイオードを用いた光源は、瞬時点灯が可能なため、被照明部材は発光ダイオードを用いた光源の点灯により瞬時に通常の明るさ（輝度）を確保することができる。その結果、点灯初期における視認性を向上できる。また、点灯するまでの遅れが無いため、直ぐに動作状態を認識することができる。
【発明を実施するための最良の形態】
【００１４】
以下、本発明の実施形態を図面に基づいて説明する。
（第１実施形態）
【００１５】
図１は、本発明の第１実施形態に係るプロジェクタの概略斜視図である。図１を用いて、プロジェクタ１の構成を説明する。
【００１６】
プロジェクタ１は、筐体１０により外装を構成している。プロジェクタ１の上面部１ａには、投写レンズユニット３０が、上面部１ａの上部方向に延出しており、その投写レンズユニット３０を覆うように、筐体Ｒ面部１１が形成されている。筐体Ｒ面部１１には、プロジェクタ１に収容される光源ユニット５０の点灯を知らせるインジケータ部材２１０が配設されている。なお、このインジケータ部材２１０は、映像投写に関する各種機能の動作状態を表示することもできる。
【００１７】
また、投写レンズユニット３０には、投写レンズ３１の先端側外周部には、投写映像による投写画面の大きさを調整するズーム調整ダイヤル３２や、投写映像の焦点を合わせるためのピント調整ダイヤル３３が構成されており、上面部１ａに延出してプロジェクタ１に収容されている。また、投写レンズユニット３０は、先端が露出するように、プロジェクタ１の前面部１ｂの一部を切り欠いて収容されている。上面部１ａの背面部１ｃ方向には、映像投写に関する各種調整を行うための操作キー２１等により構成される操作部２０が配設されている。
【００１８】
図２は、プロジェクタの光学構成部を示す概略平面図である。また、図２は、図１に示す底面部１ｄ方向から見た図である。図２を用いて、プロジェクタ１の光学構成部の構成と動作を概略説明する。
【００１９】
光学構成部の構成を概略説明する。
光学構成部は、光源構成部と、光学変換部と、投写光学部とから構成される。光源構成部は、ＬＥＤ（発光ダイオード）を用いた光源ユニット５０で構成される。光学変換部は、照明光学系と光変調光学系と色合成光学系とで構成される。投写光学部は、投写レンズユニット３０で構成される。
【００２０】
光源ユニット５０は、詳細には、Ｒ（赤色光）光源ユニット（図示省略）とＧ（緑色光）光源ユニット（図示省略）とＢ（青色光）光源ユニット５０Ｂとで構成される。また、それぞれの色光を２個ずつの光源で作っている。また、Ｂ光源ユニット５０Ｂは、青色光を発光するＢ光源５１Ｂと、その青色光を集光する集光レンズ５２Ｂと、それらを保持収容する保持ケース５５Ｂとを有して構成される。光源ユニット５０は、ＬＥＤ（発光ダイオード）を用いているため、瞬時に点灯する。
【００２１】
照明光学系は、ロッドインテグレータ７０で構成される。そして、ロッドインテグレータ７０は、Ｒ（赤色光）ロッドインテグレータ７１と、Ｇ（緑色光）ロッドインテグレータ７２と、Ｂ（青色光）ロッドインテグレータ７３とで構成される。また、各色光に対応して２個ずつの光源により色光を作るのに合わせて、ロッドインテグレータ７０も各光源に対応させて構成される。詳細には、Ｂロッドインテグレータ７３は、第１Ｂロッドインテグレータ７３ａと、第２Ｂロッドインテグレータ７３ｂと、それを合わせるための集合Ｂロッドインテグレータ７３ｃとで構成される。なお、その他のロッドインテグレータ７０も同様に構成される。図２においては、Ｒロッドインテグレータ７１に対し、集合Ｒロッドインテグレータ７１ｃと、Ｇロッドインテグレータ７２に対し、集合Ｇロッドインテグレータ７２ｃとが図示されている。
【００２２】
光変調光学系は、液晶ライトバルブ６０で構成される。詳細には、液晶ライトバルブ６０は、Ｒ（赤色光）ライトバルブ６１とＧ（緑色光）ライトバルブ６２とＢ（青色光）ライトバルブ６３との３枚の液晶ライトバルブ６０で構成される。本実施形態では、透過型の液晶ライトバルブを用いている。色合成光学系は、クロスダイクロイックプリズム８０で構成される。
【００２３】
投写レンズユニット３０は、複数種のレンズから構成される投写レンズ３１と、投写レンズ３１を保持収容する投写レンズ保持部材３５と、投写レンズ保持部材３５をプロジェクタ１内に固定する投写レンズ固定部材３６とを有して構成される。
【００２４】
光学構成部の動作を概略説明する。説明の便宜上、青色光用の光源であるＢ光源５１Ｂを基に説明する。
【００２５】
Ｂ光源５１Ｂで発光した青色光は、集光レンズ５２Ｂにより集光されて射出される。集光された青色光は、第１Ｂロッドインテグレータ７３ａに入射する。入射した青色光は、第１Ｂロッドインテグレータ７３ａの内部を全反射を繰返して集合Ｂロッドインテグレータ７３ｃに入射する。そして、集合Ｂロッドインテグレータ７３ｃ内部を全反射を繰返して、Ｂライトバルブ６３に射出する。もう一方のＢ光源に関しても同様に、青色光は、第２Ｂロッドインテグレータ７３ｂ及び集合Ｂロッドインテグレータ７３ｃ内部を全反射を繰返して、Ｂライトバルブ６３に射出する。Ｂライトバルブ６３に入射した青色光は、Ｂライトバルブ６３を透過することにより、変調され射出する。
【００２６】
赤色光及び緑色光に関しても、青色光と同様に動作し、各液晶ライトバルブ６０（６１，６２，６３）から射出した赤色光、緑色光及び青色光は、色合成光学系であるクロスダイクロイックプリズム８０に異なる３方向（図示下方向、図示左方向、図示上方向）から入射する。そして、各色光は、クロスダイクロイックプリズム８０により合成され、図示右方向にカラー画像として射出される。このカラー画像の光は、投写レンズユニット３０を介して拡大投写され、プロジェクタ１の外部に設置したスクリーンなどにカラー画像が投影される。
【００２７】
図３は、本発明の第１実施形態に係る光源と導光部材と被照明部材との配置構成の図であり、図３（ａ）は斜視図であり、図３（ｂ）は、導光部材と被照明部材との断面（Ａ―Ａ断面）図である。なお、図３において、投写レンズユニット３０、ロッドインテグレータ７０及びクロスダイクロイックプリズム８０などの光学構成部品は図示を省略している。図３を用いて、導光部材１００及び被照明部材２００の構成及び動作を説明する。
【００２８】
本実施形態の導光部材１００を構成するインジケータ導光部材１１０は、光源ユニット５０を構成するＢ光源ユニット５０Ｂの横近傍に設置されている。インジケータ導光部材１１０は、導光性を有する透明のアクリル樹脂を用いて、略Ｌ字形状で板状に形成される。詳細には、第１導光部１２０と第２導光部１３０と第３導光部１４０とを有して構成される。第３導光部１４０は、図１に示すプロジェクタ１の上面部１ａに形成する筐体Ｒ面部１１と投写レンズユニット３０との隙間に配設されており、筐体Ｒ面部１１の内面側で隙間に沿った曲率を持って形成されている。また、インジケータ導光部材１１０は、光を入射させる入射面１２１と、入射させた光を各導光部内に導光させるための反射面となる第１反射面１２５、第２反射面１２６、第３反射面１３５及び第４反射面１４５と、導光させた光を射出させる射出面１４６とを有して形成される。また、インジケータ導光部材１１０は、固定部１２７及び固定部１２８を有して、筐体１０の内面側の所定の位置にネジにより固定される。
【００２９】
本実施形態の被照明部材２００を構成するインジケータ部材２１０は、導光性を有し、光を拡散する拡散剤を添加されたアクリル樹脂を用いて形成される。そして、インジケータ部材２１０は、筐体Ｒ面部１１に設けるインジケータ開口部１２に挿嵌されるインジケータ部２２０と、インジケータ導光部材１１０の第３導光部１４０の射出面１４６側を案内して固定する導光部材固定部２３０と、インジケータ部材２１０を筐体Ｒ面部１１の内面に固定するインジケータ固定部２４０とを有して構成される。
【００３０】
インジケータ導光部材１１０とインジケータ部材２１０との動作を説明する。
Ｂ光源５１Ｂで発光して射出した光は、集光レンズ５２Ｂに入射するが、集光レンズ５２Ｂに入射できない光は、Ｂ光源５１Ｂと集光レンズ５２Ｂとの間に射出される。この光は、映像を投写させるために利用される光とはならない光（非利用光）である。本発明ではこの光を導光させる光として使用している。なお、本発明における非利用光は、映像を投写させるために構成した光学構成部の各構成部品間における光の伝達経路から外れた光を意味している。例えば、漏れ光や散乱光などをいう。
【００３１】
本実施形態では、非利用光を利用するために、インジケータ導光部材１１０に形成する入射面１２１は、Ｂ光源ユニット５０Ｂの横近傍で、Ｂ光源５１Ｂと集光レンズ５２Ｂとの間に位置させている。
【００３２】
Ｂ光源５１Ｂから射出した非利用光の光は、インジケータ導光部材１１０の入射面１２１に入射して、第１反射面１２５で反射し、第１導光部１２０の内部を導光する。そして、第２反射面１２６で反射し、第２導光部１３０内部を導光し、第３反射面１３５で反射し、第３導光部１４０内部を導光する。第３導光部１４０内部を導光した光は、第４反射面１４５で反射し、その光は射出面１４６から射出される。
【００３３】
射出面１４６から射出された光は、インジケータ部材２１０の導光部材固定部２３０に形成される入射面２３１に入射する。インジケータ部材２１０は、導光性及び光拡散性を有しているため、入射した光は、インジケータ部材２１０の内部を反射（拡散）されながら透過して外部に射出することで、インジケータ部材２１０が光ることになる。インジケータ部２２０においても同様となり、プロジェクタ１の外部に光を射出する。
【００３４】
上述した一連の動作により、Ｂ光源５１Ｂが点灯すると、連動してインジケータ部材２１０が点灯する。また、Ｂ光源５１Ｂが非点灯（消灯）すると、連動してインジケータ部材２１０も消灯する。本実施形態では、Ｂ光源５１Ｂを使用するため、点灯する光の色は青色となる。
【００３５】
上述した、実施形態によれば以下の効果が得られる。
（１）本実施形態によれば、導光部材１００を構成するインジケータ導光部材１１０は、Ｂ光源５１Ｂから射出した光のうち映像の投写に使用されない非利用光を入射させ導光し、導光した光を被照明部材を構成するインジケータ部材２１０に射出する。インジケータ部材２１０は、導光性および光拡散性を有しているため、インジケータ部材２１０に入射した光は、インジケータ部材２１０の内部を反射（拡散）しながら透過して外部に射出する。これにより、インジケータ部材２１０は、拡散して光ることができるため、視認方向に左右されないので視認性を向上することができる。従来の被照明部材は、導光性部材のみにより形成されるため、被照明部材を正面から見ないと照明されていることを視認することができず、横方向からは視認しづらく、視認性の面で劣っていたが、本実施形態により視認性が改善・向上する。
【００３６】
（２）従来のように、放電式ランプ（例えば、超高圧水銀ランプ）を光源に用いた場合、光源を点灯すると、徐々に明るさ（輝度）が増し、通常の明るさになるには時間がかかる。それにより、インジケータ部材２１０の明るさも連動して徐々に増し、通常の明るさになるには時間がかかることになる。それに対し、本実施形態によれば、光源としてＬＥＤ（発光ダイオード）を用いたことにより、瞬時点灯が可能になるため、インジケータ部材２１０は発光ダイオードを用いた光源（Ｂ光源５１Ｂ）の点灯により瞬時に通常の明るさ（輝度）を確保することができる。その結果、点灯初期における視認性を向上できる。また、点灯するまでの遅れが無いため、直ぐに動作状態を認識することができる。瞬時に通常の明るさを確保できることは、プロジェクタ１の使用に対して安心感を向上させることになる。
【００３７】
（３）本実施形態によれば、Ｂ光源５１Ｂで射出され、非利用光となった光をインジケータ部材２１０の点灯に使用することで、非利用光の有効利用ができる。
（第２実施形態）
【００３８】
図４は、本発明の第２実施形態に係る導光部材と被照明部材とを一体にした場合の図であり、図４（ａ）は、導光部材と被照明部材とを一体にした場合の概略斜視図であり、図４（ｂ）は、筐体に組まれた場合の概略断面図である。図４を用いて、構成及び動作を説明する。
【００３９】
本実施形態は、第１実施形態での導光部材１００を構成するインジケータ導光部材１１０と、被照明部材２００を構成するインジケータ部材２１０とを一体に構成した場合の形態を示している。図４は、その一体となった部分周辺を図示している。なお、Ｂ光源５１Ｂで射出する光の非利用光を入射させる部分は、図示を省略している。本実施形態では、この一体となった部材を新たにインジケータ一体導光部材３００と称している。このインジケータ一体導光部材３００は、導光部材１００としての導光機能を有するインジケータ導光部材３１０と、被照明部材２００としての導光及び光拡散機能を有するインジケータ部材３２０とを有して構成される。なお、その他の構成は、第１実施形態と略同様に構成される。
【００４０】
インジケータ導光部材３１０及びインジケータ部材３２０は、第１実施形態でのインジケータ導光部材１１０及びインジケータ部材２１０とそれぞれ同様の機能、材質及び色などを有している。第１実施形態において、インジケータ導光部材１１０の射出面１４６とインジケータ部材２１０の入射面２３１とは、わずかな隙間を持ち固定されていたが、本実施形態では、インジケータ導光部材３１０の射出面３１１とインジケータ部材３２０の入射面３２１とが密着した状態（隙間がない状態）で接続する構造となる。
【００４１】
図４（ａ）に示すように、本実施形態では、溶着加工を行うことにより、インジケータ導光部材３１０とインジケータ部材３２０とを一体とさせ、インジケータ導光部材３１０の射出面３１１とインジケータ部材３２０の入射面３２１とが密着した状態で接続する構造とさせている。詳細には、インジケータ導光部材３１０の導光した光の射出側となる所定の部位としての射出面３１１の外周部に断面略三角形状の突起を形成し、そこにインジケータ部材３２０の入射面３２１を配置し、アルミ製のホーンを用いて、超音波を利用して、前記三角形状の突起を溶かすことにより一体とさせている（図面への図示は省略）。なお、この溶着する部位は、インジケータ導光部材３１０の導光や、インジケータ部材３２０の導光及び光拡散には、影響を与えない領域で行っている。
【００４２】
図４（ｂ）に示すように、インジケータ一体導光部材３００は、プロジェクタ１の筐体Ｒ面部１１に形成されたインジケータ開口部１３にインジケータ部材３２０を挿入し収容される。そして、Ｂ光源５１Ｂの発光により、射出した光の非利用光は、インジケータ導光部材３１０の内部を導光し透過して射出面３１１から、射出面３１１と密着固定されたインジケータ部材３２０の入射面３２１に損失を抑えて入射する。インジケータ部材３２０に入射した光は、インジケータ部材３２０の内部を反射（拡散）されながら透過して外部に射出することで、インジケータ部材３２０が光ることになる。それにより、プロジェクタ１の外部に光を射出する。
【００４３】
上述した、第２実施形態によれば、第１実施形態での効果を同様に得られる他に、以下の効果が得られる。
（１）本実施形態によれば、インジケータ導光部材３１０とインジケータ部材３２０とを一体としたことにより、インジケータ導光部材３１０の射出面３１１とインジケータ部材３２０の入射面３２１とが密着され固定され、インジケータ導光部材３１０の内部を導光して透過した光を略損失なくインジケータ部材３２０に入射させることができる。従って、光の利用効率が向上し、その結果、インジケータ部材３２０から射出する光の明るさを向上させることができ、視認性が更に向上する。
【００４４】
（２）本実施形態によれば、インジケータ導光部材３１０とインジケータ部材３２０とを一体としたことにより、インジケータ一体導光部材３００の組立てにおける取回しが向上し、作業効率が向上する。また、部品点数も削減でき、輸送や保管に関係するコスト低減などの効果もある。
（第３実施形態）
【００４５】
図５は、本発明の第３実施形態に係る導光部材と被照明部材とを一体にした場合の別の図であり、図５（ａ）は、導光部材と被照明部材とを一体にした場合の別の概略斜視図であり、図５（ｂ）は、筐体に組まれた場合の別の概略断面図である。図５を用いて、構成及び動作を説明する。
【００４６】
図５は、導光部材１００を構成する操作キー導光部材４１０と、被照明部材２００を構成する操作キー部材４３０とを一体に構成した場合の一体部分周辺を図示している。第２実施形態でのインジケータ一体導光部材３００とは別の形態を示している。この一体となった部材を本実施形態では、新たに操作キー一体導光部材４００と称している。第１及び第２実施形態では、プロジェクタ１の映像投写に関する各種機能の動作状態を表示するためのインジケータ部材に導光した光を入射させ、インジケータ部材を光らせている。しかし、本実施形態では、プロジェクタ１の映像投写に関する各種調整を行うための操作部２０の操作キー２１としての操作キー部材４３０を操作キー導光部材４１０により光らせる構成としたものである。また、本実施形態では、２つの操作キー２１を光らせる形態となっている。なお、操作キー導光部材４１０は、導光部材１００として導光機能を有し、操作キー部材４３０は、被照明部材２００として導光及び光拡散機能を有している。そして、その他の構成は、第１実施形態と略同様に構成される。
【００４７】
ここで、操作キー導光部材４１０と操作キー部材４３０との構成を詳細に説明する。
操作キー導光部材４１０は、操作キー導光部４１１と第１アーム部４１２と第２アーム部４１３と第３アーム部４１４とＡ押圧部４１５とＢ押圧部４１６とを有して構成されている。また、操作キー部材４３０は、Ａ操作キー部４４０とＢ操作キー部４５０とを有して構成される。Ａ操作キー部４４０は、Ａ操作キートップ部４４１と、円盤状に形成されるＡ操作キー固定部４４２とを有して構成される。Ｂ操作キー部４５０は、Ｂ操作キートップ部４５１と、円盤状に形成されるＢ操作キー固定部４５２とを有して構成される。
【００４８】
そして、操作キー導光部４１１の一端から延出する第１アーム部４１２は、Ａ射出面４１７を有し、Ａ操作キー部４４０のＡ操作キー固定部４４２の底面に有するＡ入射面４４３と密着して一体に構成される。密着させる方法は、第２実施形態での溶着方法と同様に行う。また、操作キー導光部４１１の一端から、第１アーム部４１２を挟んで略平行に延出して、その先端がつながる２つのアーム部（第２アーム部４１３、第３アーム部４１４）は、Ｂ射出面４１８を有し、Ｂ操作キー部４５０のＢ操作キー固定部４５２の底面に有するＢ入射面４５３と密着して一体に構成される。
【００４９】
操作キー一体導光部材４００は、プロジェクタ１の筐体１０に形成されたＡ開口部１４及びＢ開口部１５にＡ操作キー部４４０のＡ操作キートップ部４４１及びＢ操作キー部４５０のＢ操作キートップ部４５１をそれぞれ挿入し収容される。
【００５０】
次に、操作キー導光部材４１０と操作キー部材４３０とが、操作キー２１として機能する場合の動作を説明する。
第１アーム部４１２及び第２アーム部４１３と第３アーム部４１４は、それぞれ、所定の弾性を有して形成されている。そして、Ａ操作キートップ部４４１を押下すると回路基板５００に実装されるプッシュタイプのＡスイッチ５１０のＡスイッチトップ５１１をＡ操作キー部４４０に一体で構成されるＡ押圧部４１５が押下する。それにより、Ａスイッチ５１０は、入力される。押下を中止すると、Ａ操作キー部４４０は、第１アーム部４１２の弾性により、通常の位置に戻される。この動作は、Ｂ操作キー部４５０においても同様となる。
【００５１】
次に、操作キー導光部材４１０と操作キー部材４３０とが、導光及び光拡散し、操作キー部材４３０を照明する場合の動作を説明する。
Ｂ光源５１Ｂの発光により、射出した光の非利用光は、操作キー一体導光部材４００の操作キー導光部材４１０の内部を導光し透過して、一部の光は、延出する第１アーム部４１２の内部を導光し透過してＡ射出面４１７から、Ａ射出面４１７と密着固定されたＡ操作キー部４４０のＡ入射面４４３に損失を抑えて入射する。Ａ操作キー部４４０に入射した光は、Ａ操作キー部４４０の内部を反射（拡散）されながら透過して外部に射出することで、Ａ操作キー部４４０のＡ操作キートップ部４４１が光ることになる。それにより、プロジェクタ１の外部に光を射出する。同様にして、操作キー導光部材４１０の内部を導光し透過して、一部の光は、延出する第２アーム部４１３及び第３アーム部４１４の内部を導光し透過してＢ射出面４１８から、Ｂ射出面４１８と密着固定されたＢ操作キー部４５０のＢ入射面４５３に損失を抑えて入射する。Ｂ操作キー部４５０に入射した光は、Ｂ操作キー部４５０の内部を反射（拡散）されながら透過して外部に射出することで、Ｂ操作キー部４５０のＢ操作キートップ４５１が光ることになる。それにより、プロジェクタ１の外部に光を射出する。上記動作により、操作部２０の操作キー２１は光ることになる。
【００５２】
上述した、第３実施形態によれば、第１実施形態での効果を同様に得られる他に、以下の効果が得られる。
（１）本実施形態によれば、操作キー導光部材４１０と操作キー部材４３０とを一体としたことにより、第１アーム部４１２のＡ射出面４１７とＡ操作キー部４４０のＡ入射面４４３とが密着して固定され、第１アーム部４１２の内部を導光して透過した光を略損失なくＡ操作キー部４４０に入射させることができる。また同様に、第２アーム部４１３及び第３アーム部４１４のＢ射出面４１８とＢ操作キー部４５０のＢ入射面４５３とが密着して固定され、第２アーム部４１３及び第３アーム部４１４の内部を導光して透過した光を略損失なくＢ操作キー部４５０に入射させることができる。これにより、光の利用効率が向上する。その結果、Ａ操作キー部４４０のＡ操作キートップ部４４１及びＢ操作キー部４５０のＢ操作キートップ部４５１から射出する光の明るさを向上させることができ、視認性が更に向上する。
【００５３】
（２）本実施形態によれば、操作キー導光部材４１０と操作キー部材４３０とを一体としたことにより、操作キー一体導光部材４００の組立てにおける取回しが向上し、作業効率が向上する。また、部品点数も削減でき、輸送や保管に関係するコスト低減などの効果もある。
【００５４】
なお、本発明は、上述した実施形態に限定されず、種々の変更や改良などを加えることが可能である。変形例を以下に述べる。
（変形例１）第１実施形態において、被照明部材２００としてインジケータ部材２１０を光らせているが、これに限らず、操作キー２１を光らせても良い。その場合、例えば、図５（ｂ）に示す図の中で、第１アーム部４１２に有するＡ押圧部４１５を第１アーム部４１２と分け、分けたＡ押圧部４１５をＡ操作キー部４４０と一緒に形成する。そして分けられた第１アーム部４１２の部分にＡ射出面４１７を形成する。また、その際、第１アーム部４１２は、Ａ操作キー部４４０の押下の動作により、Ａ操作キー固定部４４２と当接しない隙間関係に設定し設置する必要が有る。このようにすることで、導光部材１００で被照明部材２００としての操作キー２１を光らせることができる。
【００５５】
（変形例２）第１実施形態において、プロジェクタ１の内部には、プロジェクタ１の操作全体を統括制御する制御部（図示省略）を有している。そして、制御部は、点灯開始のための操作キー２１を押下されることにより、プロジェクタ１の動作を開始し、光源ユニット５０を点灯させ、映像を投写する。その際、プロジェクタ１の動作が正常な場合は、インジケータ部材２１０は、青色に点灯し続ける。しかし、プロジェクタ１の映像投写に関する各種機能の動作において不具合が生じた場合、制御部は、Ｂ光源ユニット５０ＢのＢ光源５１Ｂに対し、発生した不具合に応じて、点灯／非点灯の周期やデューティー比を変化させる制御を行う。それにより、ユーザは、不具合が発生したことをインジケータ部材２１０の点灯／非点灯による点滅表示により知ることができる。機能の動作不具合として、例えば、温度制御機能におけるプロジェクタ１内部の温度上昇などがあげられる。この点灯／非点灯による点滅表示は、Ｂ光源５１Ｂを完全に非点灯するまでの間行うなどでも良い。
【００５６】
（変形例３）第２実施形態及び第３実施形態において、導光部材１００と被照明部材２００とは、溶着加工により、一体に構成される。しかし、一体に構成する方法はこれに限らず、接着剤により一体に構成することや、嵌合により一体に組込むことや、２色成形による射出成形で一体に成形することなどの方法を用いることができる。
【００５７】
（変形例４）前記実施形態において、導光部材１００は、導光性を有する透明のアクリル樹脂を用いて形成されている。しかし、アクリル（ＰＭＭＡ：ポリメタクリル酸メチル）樹脂に限らず、導光性を有する透明のプラスチック樹脂であるなら使用できる。例えば、ＡＢＳ（アクリロニトリルブタジエンスチレン共重合）樹脂などでも良い。
【００５８】
（変形例５）前記実施形態において、インジケータ部材２１０，３２０や操作キー部材４３０は、導光性を有し、光を拡散する拡散剤を添加されたアクリル樹脂を用いて形成されている。しかし、これに限らず、導光性を有し、光を拡散する拡散剤を添加されるプラスチック樹脂であるなら使用できる。例えば、ＡＢＳ樹脂などでも良い。
【００５９】
（変形例６）前記実施形態において、光源として、Ｂ（青色光）光源５１Ｂを有するＢ（青色光）光源ユニット５０Ｂを使用している。しかし、これに限らず、Ｇ（緑色光）光源ユニットや、Ｒ（赤色光）光源ユニットを使用することもできる。
【００６０】
（変形例７）前記実施形態において、Ｂ（青色光）光源５１Ｂを使用して、被照明部材２００を青色光に光らせている。しかし、これに限らず、Ｇ（緑色光）光源、Ｒ（赤色光）光源を使用し、また、導光部材１００の形状を変更することにより、被照明部材２００等に着色することなく、３色をそれぞれ合成することができるため、被照明部材２００を光らせる色を設定する自由度が拡大する。
【００６１】
（変形例８）前記実施形態において、Ｂ（青色光）光源５１Ｂ、Ｇ（緑色光）光源、Ｒ（赤色光）光源にそれぞれ導光部材とインジケータ部材を構成し、プロジェクタ１の筐体１０の上面部１ａに配設することで、各光源の点灯を確認することができるため、各光源の点灯不具合や、点灯に関係する回路上の不具合などを確認することが可能となる。
【００６２】
（変形例９）前記実施形態において、導光部材１００や被照明部材２００の形状及び構成や固定構造などは、本発明の要旨を変更しない範囲で適宜変形することができる。
【００６３】
（変形例１０）前記実施形態での照明光学系は、ロッドインテグレータ７０で構成しているが、これに限らず、フライアイインテグレータで構成しても良い。
【００６４】
（変形例１１）前記実施形態でのプロジェクタ１は、透過型液晶方式のプロジェクタである。しかし、これに限らず、ＤＬＰ（登録商標）（Digital Light Processing）方式及び反射型液晶方式であるＬＣＯＳ（Liquid Crystal On Silicon）方式などを採用したプロジェクタであっても良い。
【図面の簡単な説明】
【００６５】
【図１】本発明の第１実施形態に係るプロジェクタの概略斜視図である。
【図２】プロジェクタの光学構成部を示す概略平面図である。
【図３】光源と導光部材と被照明部材との配置構成の図であり、図３（ａ）は斜視図であり、図３（ｂ）は、導光部材と被照明部材との断面（Ａ―Ａ断面）図である。
【図４】本発明の第２実施形態に係る導光部材と被照明部材とを一体にした場合の図であり、図４（ａ）は、導光部材と被照明部材とを一体にした場合の概略斜視図であり、図４（ｂ）は、筐体に組まれた場合の概略断面図である。
【図５】本発明の第３実施形態に係る導光部材と被照明部材とを一体にした場合の別の図であり、図５（ａ）は、導光部材と被照明部材とを一体にした場合の別の概略斜視図であり、図５（ｂ）は、筐体に組まれた場合の別の概略断面図である。
【符号の説明】
【００６６】
１…プロジェクタ、１０…筐体、１１…筐体Ｒ面部、２０…操作部、２１…操作キー、３０…投写レンズユニット、５０…光源ユニット、５０Ｂ…Ｂ光源ユニット、５１Ｂ…Ｂ光源、５２Ｂ…集光レンズ、５５Ｂ…保持ケース、６０…液晶ライトバルブ、６３…Ｂライトバルブ、７０…ロッドインテグレータ、７１…Ｒロッドインテグレータ、７２…Ｇロッドインテグレータ、７３…Ｂロッドインテグレータ、８０…クロスダイクロイックプリズム、１００…導光部材、１１０…インジケータ導光部材、１２０…第１導光部、１２１…入射面、１３０…第２導光部、１４０…第３導光部、１４６…射出面、２００…被照明部材、２１０…インジケータ部材、２２０…インジケータ部、２３１…入射面、３００…インジケータ一体導光部材、３１０…インジケータ導光部材、３２０…インジケータ部材、４００…操作キー一体導光部材、４１０…操作キー導光部材、４１１…操作キー導光部、４１２…第１アーム部、４１３…第２アーム部、４１４…第３アーム部、４３０…操作キー部材、４４０…Ａ操作キー部、４４１…Ａ操作キートップ部、４５０…Ｂ操作キー部、４５１…Ｂ操作キートップ部。
【図１】
2007025017.tif 000003
【図２】
2007025017.tif 000004
【図３】
2007025017.tif 000005
【図４】
2007025017.tif 000006
【図５】
2007025017.tif 000007